(57)【要約】【課題】木製の脚と座を有し、かつそれらを肉薄としながらも、強度を高めることができ、かつ外観的体裁を向上させうるようにした椅子を提供する。【解決手段】少なくとも３本の脚と、この脚の上端部に固定された座とを有する椅子において、脚は、金属脚３と、この金属脚３に、その少なくとも外面を覆うようにして取付けられた木製脚４とからなり、座は、金属脚３の上端部に取付けられた金属座板５と、この金属座板５に、その少なくとも上面を覆うようにして取付けられた木製座板６とからなるものとする。【選択図】  図２
2015084991.tif 000002
【特許請求の範囲】
【請求項１】
少なくとも３本の脚と、この脚の上端部に固定された座とを有する椅子において、
前記脚は、金属脚と、この金属脚に、その少なくとも外面を覆うようにして取付けられた木製脚とからなり、
前記座は、前記金属脚の上端部に取付けられた金属座板と、この金属座板に、その少なくとも上面を覆うようにして取付けられた木製座板とからなるものとしたことを特徴とする椅子。
【請求項２】
木製脚を、金属脚の外面を覆う基片の両側縁に、金属脚における外面と連続する両側面を覆う１対の内向側片を有する、平面視内向きコ字状またはＵ字状断面をなすものとし、この木製脚を前記金属脚に外方より嵌め込んで固定してなる請求項１記載の椅子。
【請求項３】
木製座板を、金属座板の外周面を覆う下向片を有する下向コ字状断面をなすものとし、この木製座板を前記金属座板に上方より嵌め込んで固定してなる請求項１または２記載の椅子。
【請求項４】
金属座板及び木製座板を、平面視ほぼ正三角形をなすものとし、それらの各頂端部に、金属脚と木製脚の上端部を固定してなる請求項１〜３のいずれかに記載の椅子。
【請求項５】
平面視ほぼ正三角形をなす金属座板の各頂端部に、下向きの突部を突設し、この突部に中空状の金属脚の上端部を嵌合し、前記突部と金属脚とをねじにより固定してなる請求項４に記載の椅子。
【請求項６】
木製脚における金属脚の外面を覆う基片に、内方に開口する雌ねじ孔を設け、この雌ねじ孔に前記金属脚の内方より挿入したボルトを螺合することにより、金属脚に木製脚を取付けた請求項１〜５のいずれかに記載の椅子。
【請求項７】
木製脚と木製座板とを、それらの対向面のいずれか一方に設けたダボに、他方の対向面に設けた受け穴を嵌合して連結してなる請求項１〜６のいずれかに記載の椅子。
【発明の詳細な説明】
【技術分野】
【０００１】
本発明は、木製の脚と座を備える椅子に係り、特に、強度及び外観的体裁を向上させた椅子に関する。
【背景技術】
【０００２】
３本または４本の木製の脚の上部に、木製の座板を取付けた椅子は、広く知られている。
また、例えば特許文献１に記載されているように、金属パイプよりなる４本の脚部の上部に円形の座板を取付けるとともに、各脚部同士を環状の足掛け部材により連結して脚部を補強した椅子もある。
【先行技術文献】
【特許文献】
【０００３】
【特許文献１】特開平９−３１３２９９号公報
【発明の概要】
【発明が解決しようとする課題】
【０００４】
上記のような木製の椅子を製作する場合には、強度を確保することが重要であるため、杉材のような軟質の木材によりデザイン性の高い椅子を製作することは困難であった。また近年、環境保護の観点から、間伐材を材料とした家具の需要が高まっているが、上記の杉材等、木材の種類によっては強度不足となるため、細身のシルエットでデザイン性の高い椅子を製作することができなかった。
【０００５】
この問題を解消するためには、木製よりなる複数の脚を太くしたり、木製の座板の厚さを厚くしたりして、木製椅子の強度不足を補えばよいが、脚を太くしたり、座板の厚さを厚くしたりすると、椅子の外観的体裁が悪くなるとともに、質量も大となる。また、木目の美麗な杉材や強度の小さい木材(例えば間伐材等)を使用しようとすると、脚の太さや座の板厚を大としなければならず、椅子の意匠の自由度が大きく制限されるとともに、美感も大きく損なわれるという問題が生じる。
【０００６】
上記特許文献１に記載されている椅子は、各脚部が金属パイプよりなり、かつ各脚部同士を環状の足掛け部材により連結して補強してあるので、強度は高いが、金属製の脚部及び環状の足掛け部材が露呈しているので、外観的体裁が悪い。
【０００７】
本発明は、上記問題点に鑑みてなされたもので、脚と座とが木の外観を残しながらも、強度を高めることができるとともに、木製の脚と座を肉薄の化粧材として使用することにより、デザイン性及び外観的体裁を向上させうるようにした椅子を提供することを目的としている。
【課題を解決するための手段】
【０００８】
本発明によると、上記課題は、次の各項のようにして解決される。
（１）少なくとも３本の脚と、この脚の上端部に固定された座とを有する椅子において、前記脚は、金属脚と、この金属脚に、その少なくとも外面を覆うようにして取付けられた木製脚とからなり、前記座は、前記金属脚の上端部に取付けられた金属座板と、この金属座板に、その少なくとも上面を覆うようにして取付けられた木製座板とからなるものとする。
【０００９】
このような構成によると、各金属脚に木製脚を取付けて木製脚を補強するとともに、金属座板に木製座板を取付けて木製座板を補強しているので、脚と座が木の外観を残しながらも、椅子の強度が高まる。
また、木製脚及び木製座板の強度が大となるので、それらを、通常使用することができない柔らかい肉薄の木材を使用することができ、かつ木製脚及び木製座板を化粧材としての機能を持たせることができるので、細身のシルエットでデザイン性が高く、かつ見栄えのよい椅子を提供することができる。
さらに、金属脚の少なくとも外面は木製脚により、金属座板の少なくとも上面は木製座板により、それぞれ覆われているので、金属脚や金属座板が目立たず、椅子の外観的体裁が向上する。
【００１０】
（２）上記(１)項において、木製脚を、金属脚の外面を覆う基片の両側縁に、金属脚の両側面を覆う１対の内向側片を有する平面視内向きコ字状またはＵ字状断面をなすものとし、この木製脚を前記金属脚に外方より嵌め込んで固定する。
【００１１】
このような構成によると、金属脚の両側面も木製脚の内向側片により覆われるので、金属脚が外部に大きく露呈せず、椅子の外観的体裁がさらに向上する。
また、金属脚に木製脚を外方より嵌め込んで簡単に取付けることができる。
【００１２】
（３）上記(１)または(２)項において、木製座板を、金属座板の外周面を覆う下向片を有する下向コ字状断面をなすものとし、この木製座板を前記金属座板に上方より嵌め込んで固定する。
【００１３】
このような構成によると、金属座板の表面が、下面を除いて木製座板により覆われるので、金属座板が大きく露呈せず、椅子の外観的体裁がさらに向上する。  また、金属座板に木製座板を上方より嵌め込んで簡単に取付けることができる。
【００１４】
（４）上記(１)〜(３)項のいずれかにおいて、金属座板及び木製座板を、平面視ほぼ正三角形をなすものとし、それらの各頂端部に、金属脚と木製脚の上端部を固定する。
【００１５】
このような構成によると、ほぼ正三角形の座は、その頂端部において３本の脚により支持されることになるので、椅子の安定感がよくなる。
【００１６】
（５）上記(４)項において、平面視ほぼ正三角形をなす金属座板の各頂端部に、下向きの突部を突設し、この突部に中空状の金属脚の上端部を嵌合し、前記突部と金属脚とをねじにより固定する。
【００１７】
このような構成によると、金属座板と金属脚との組立てが容易となるとともに、それらを分解して梱包したり、運搬したりすることができる。
【００１８】
（６）上記(１)〜(５)項のいずれかにおいて、木製脚における金属脚の外面を覆う基片に、内方に開口する雌ねじ孔を設け、この雌ねじ孔に前記金属脚の内方より挿入したボルトを螺合することにより、金属脚に木製脚を取付ける。
【００１９】
このような構成によると、木製脚取付用のボルトや雌ねじ孔が、木製脚の外面に露呈しないので、椅子の見栄えがよくなる。
【００２０】
（７）上記(１)〜(６)項のいずれかにおいて、木製脚と木製座板とを、それらの対向面のいずれか一方に設けたダボに、他方の対向面に設けた受け穴を嵌合して連結する。
【００２１】
このような構成によると、木製脚と木製座板とを隙間なく連結しうるとともに、隙間を通して、金属部分が外部より露見されるおそれがなくなる。
【発明の効果】
【００２２】
本発明によれば、脚と座とを木の外観を残しながらも、強度を高めることができるとともに、木製の脚と座を肉薄の化粧材として使用することにより、デザイン性及び外観的体裁を向上させた椅子を提供することができる。
【図面の簡単な説明】
【００２３】
【図１】本発明の椅子を、スツールに適用した一実施形態を示す斜視図である。
【図２】同じく、分解正面図である。
【図３】同じく、金属脚の上端部に金属座板を固定して補強フレームを形成した正面図である。
【図４】図３の底面図である。
【図５】木製座板の斜視図である。
【図６】木製座板の底面図である。
【図７】木製脚を内方より見た拡大図である。
【図８】図１のVIII−VIII面における拡大縦断面図である。
【図９】図８におけるIX−IX線拡大横断平面図である。
【図１０】同じく、X−X線拡大縦断面図である。
【発明を実施するための形態】
【００２４】
以下、本発明をスツールに適用した実施形態を、図面に基づいて説明する。なお、以下の説明においては、椅子の中心方向を内方、その反対方向を外方とする。
図１及び図２に示すように、本発明に係る椅子は、３本の脚１と、それらの上端部により支持された平面視ほぼ正三角形をなす座２とを備えている。
【００２５】
各脚１は、角管よりなる中空状の金属脚３と、その外面と両側面とを覆う、断面内向コ形で、金属脚３よりも若干長寸の木製脚４とからなっている。座２は、平面視ほぼ正三角形の金属座板５と、その上面と外周面を覆う木製座板６とからなっている。この実施形態では、金属脚３は鋼材により、金属座板５はアルミニウムまたはその合金により、木製脚４と木製座板６は杉材により、それぞれ形成されているが、それらの材料には、他の金属や木材を用いてもよい。
【００２６】
正面図である図３、底面図である図４及び金属座板５の要部の縦断面図である図１０にも示すように、金属座板５は、外周縁が緩い内向円弧状に湾曲する平面視ほぼ正三角形の基板７と、この基板７の外周縁より起立する起立片８と、基板７の各頂端部の下面より突設された下向突部９とを有している。なお、下向突部９は、金属脚３の上端部と結合されている。
【００２７】
基板７の上面には、各頂端部から基板７の中心に向かって延びる３本のリブ１０が、上向きに突設され、各リブ１０の頂端部寄りには、上下方向の段付貫通孔１１を有するボス１２が形成されている。
各下向突部９の上部は、外側に若干傾斜する傾斜突部９ａとなっており、この傾斜突部９ａの下端には、金属脚３の上端部に嵌合される、ほぼ方形断面の嵌合突部９ｂが下向きに突設されている。
【００２８】
図２及び図１０に示すように、嵌合突部９ｂには、内外方向の上下２個のめねじ孔１３、１３が設けられ、また金属脚３の外面板３ａの上端部には、めねじ孔１３、１３と対応する取付孔１４、１４が設けられている。金属脚３の上端部に嵌合突部９ｂを嵌合し、金属脚３の外面板３ａの外方から上下の取付孔１４、１４に挿入したボルト１５、１５を、嵌合突部９ｂのめねじ孔１３、１３に螺合して締め付けることにより、各金属脚３の上端部に金属座板５が固定された補強フレームＦ(図３)が形成される。
【００２９】
図５、図６及び図１０に示すように、木製座板６は、上面が下方になだらかに湾曲する、平面形が金属座板５と同様のほぼ正三角形をなし、その頂端部を除く外周縁には、金属座板５における頂端部を除く起立片８を覆うように上方から嵌め込まれる３個の下向片６ａが突設されている。各下向片６ａは、平面視において、金属座板５の起立片８と同じ曲率で、内向き円弧状に湾曲されている。
【００３０】
木製座板６の裏面における各頂部寄りには、下方に開口する上向き凹状の有底孔１６が形成され、この有底孔１６には、埋込みナット１７が、金属座板５の各段付貫通孔１１と対応するようにして固嵌されている。また、木製座板６の各頂端面には、２個ずつのダボ１８、１８が外向きに突設されている。
金属座板５に木製座板６を上方より嵌合したのち、図１０に示すように、金属座板５の段付貫通孔１１に下方より挿入したボルト１５を、木製座板６の埋込みナット１７に螺合させて締め付けることにより、金属座板５に木製座板６が取付けられ、金属座板５の基板７の上面と起立片８の外面とが木製座板６により覆われる。なお、この際、木製座板６の下面が、金属座板５における基板７の３本のリブ１０の上端に当接するので、木製座板６に着座しても下方に凹むおそれはない。
【００３１】
図７及び図９に示すように、木製脚４は、金属脚３と傾斜突部９ａとの外面を覆う上下方向の基片４ａと、その上下方向の両側縁に連設され、金属脚３と傾斜突部９ａにおける外面と連続する両側面を覆う１対の内向側片４ｂ、４ｂとを備える、内方に開口するほぼ内向きコ字状の横断形状を呈している。なお、木製脚４の横断面形状は、内向きＵ字状とすることもある。
【００３２】
木製脚４は、正面視において上端から下端に向かってやや先細り状とされ、かつ、両内向側片４ｂの板厚を内方に向かって漸次肉薄とすることにより、両内向側片４ｂの外側面間の幅寸法を外方から内方に向かって漸次小としてある。このようにすると、木製脚４がスリム感を呈するようになり、見栄えがよくなる。
基片４ａの内面の上端部は、傾斜突部９ａの外面と当接しうる傾斜面４ｃとされ、この傾斜面４ｃには、内方に向かって開口する斜め外上方を向く有底孔１９が形成され、この有底孔１９には、埋込みナット２０が圧嵌されている。基片４ａの下端部の内面に形成された内外方向の貫通孔２１にも、埋込みナット２０が圧嵌されている。
【００３３】
傾斜面４ｃの若干下方において、基片４ａの内面には、上述した金属脚３の上端部を固定する上下のボルト１５の頭部が入り込む、内方に開口する上下２個の有底孔２２、２２が形成されている。また、木製脚４の上端部の内面には、木製座板６のダボ１８、１８と対応する２個の受け穴２３、２３が形成されている。
【００３４】
木製脚４を金属脚３に取付けるには、図８に示すように、木製座板６のダボ１８に、木製脚４の受け穴２３を嵌合させるようにして、金属脚３と傾斜突部９ａとに木製脚４を外方から嵌め込む。この際、上下のボルト１５の頭部は、有底孔２２内に嵌合されるので、基片４ａの内面がボルト１５の頭部に干渉することはない。なお、木製座板６に設けたダボ１８に、木製脚４の受け穴２３を嵌合して、木製座板６と木製脚４とを連結すると、それらを隙間なく連結しうるとともに、隙間を通して、金属部分が外部より露見されるおそれがなくなる。
【００３５】
ついで、傾斜突部９ａに設けた斜め外上方を向く段付貫通孔２４に内方より挿入したボルト２５を、木製脚４の上端部の埋込みナット２０に螺合して締め付けるとともに、金属脚３の下端部に形成された貫通孔２６に内方より挿入したボルト２５を、木製脚４の下端部の埋込みナット２０に螺合して締め付ける。これにより、木製脚４の上下両端部は、金属脚３と傾斜突部９ａとに、それらの外面と両側面を覆うようにして、かつ上面が木製座板６の頂端部の上面とほぼ整合するようにして固定される。なお、木製脚４の下端部の埋込みナット２０、及びそれに螺合されたボルト２５の先端は、貫通孔２１の外面側の拡径孔に嵌合したキャップ２７により目隠しされる。
【００３６】
このようにして、木製脚４を取付けたのち、金属脚３の下端部には、下部に幅広の鍔部２８ａを有する合成樹脂製の接床部材２８が圧嵌され、床面が傷付くのを防止しうるようになっている。
【００３７】
以上説明したように、上記実施形態の椅子においては、３本の金属脚３の上端部に金属座板５を固定して補強フレームＦを形成し、各金属脚３に木製脚４を取付けて木製脚４を補強するとともに、金属座板５に木製座板６を取付けて木製座板６を補強しているので、脚１と座２が木の外観を残しながらも、強度の高い椅子が得られる。
【００３８】
また、木製脚４と木製座板６の強度が高まるため、それらを、間伐材や通常使用することができない柔らかい肉薄の木材、例えば強度は小さいが木目の美麗な杉材等を使用することができ、かつ木製脚４及び木製座板６を化粧材としての機能を持たせることができるので、細身のシルエットでデザイン性が高く、かつ見栄えのよい椅子を提供することができる。
【００３９】
金属脚３は、その外面と両側面とが木製脚４により覆われ、金属座板５も、その上面と外周面とが木製座板６により覆われているので、金属部分が大きく露呈することはなく、椅子の外観的体裁が向上する。なお、外部に露呈している金属脚３の内面と金属座板５の下面とを、木製脚４及び木製座板６と同系色に塗装すれば、外部に露呈する金属部分を目立たなくすることができる。
【００４０】
以上、本発明を実施形態について説明したが、本発明は、その要旨を逸脱しない範囲内で、次のような変形や変更を施すことが可能である。
上記実施形態では、３本の脚１を有するものとしたが、３本以上の脚１を有する椅子にも、本発明を適用することができる。この際、座２の平面形状は、円形や楕円形、三角形以上の多角形等とすることができる。
【００４１】
上記実施形態では、金属脚３を角管よりなるものとして、その外面と両側面を木製脚４により覆うようにしているが、金属脚３の外面のみ、または外面と、両側面の外側の一部とを木製脚４により覆うようにしてもよい。また、金属脚３は、円形や非円形のパイプよりなるものとしてもよい。
また、金属座板５についても、その上面のみ、または上面と、起立片８の上部側の一部とを木製座板６により覆うようにしてもよい。
【００４２】
上記実施形態では、木製脚４の基片４ａの下端部に、埋込みナット２０を圧嵌するための貫通孔２１を設け、この貫通孔２１の外面側の拡径孔に目隠し用のキャップ２７を挿入しているが、下部の基片４ａの厚さを厚くすれば、貫通孔２１に代わりに、内方に開口する有底孔を設け、この有底孔に埋込みナット２０を圧嵌するようにしてもよい。このようにすれば、木製脚４の下部にキャップ２７を省略しうるだけでなく、木製脚４の下部の外面にキャップ２７が露呈しないので、脚１の見栄えがよくなる。
【００４３】
上記実施形態では、木製脚４における上部の有底孔１９と下部の貫通孔２１に埋込みナット２０を圧嵌しているが、この埋込みナット２０の代わりに、ボルト２５が螺合する雌ねじ孔を設けてもよい。また、木製座板６についても、埋込みナット１７の代わりに、雌ねじ孔を設けてもよい。
【００４４】
上記実施形態では、木製座板６側にダボ１８を、木製脚４側に受け穴２３を設けたが、それらを逆として設けてもよい。
【００４５】
木製座板６の上面と外周面を、皮、布、フェルト等の表皮材により覆ったり、木製座板６の上面と表皮材との間にクッション材を挿入したりしてもよい。
【００４６】
本発明は、例えば、座２の後部に背凭れを取付けた椅子にも適用することができる。
【符号の説明】
【００４７】
１  脚
２  座
３  金属脚
４  木製脚
４ａ  基片
４ｂ  内向側片
４ｃ  傾斜面
５  金属座板
６  木製座板
６ａ  下向片
７  基板
８  起立片
９  下向突部
９ａ  傾斜突部
９ｂ  嵌合突部
１０  リブ
１１  段付貫通孔
１２  ボス
１３  めねじ孔
１４  取付孔
１５  ボルト
１６  有底孔
１７  埋込みナット
１８  ダボ
１９  有底孔
２０  埋込みナット
２１  貫通孔
２２  有底孔
２３  受け穴
２４  段付貫通孔
２５  ボルト
２６  貫通孔
２７  キャップ
２８  接床部材
２８ａ  鍔部
Ｆ  補強フレーム
【図１】
2015084991.tif 000003
【図２】
2015084991.tif 000004
【図３】
2015084991.tif 000005
【図４】
2015084991.tif 000006
【図５】
2015084991.tif 000007
【図６】
2015084991.tif 000008
【図７】
2015084991.tif 000009
【図８】
2015084991.tif 000010
【図９】
2015084991.tif 000011
【図１０】
2015084991.tif 000012